(57)【特許請求の範囲】
【請求項１】
幼児を収容するキャリア本体（２）の上端部と下端部とに左右一対のショルダーベルト（７）（７）が並行に差し渡されるとともに、前記ショルダーベルト（７）（７）間に架け渡してショルダーベルト（７）（７）間隔を規制するブリッジベルト（１３）を有するベビーキャリアであって、
前記ブリッジベルト（１３）は、前記ショルダーベルト（７）（７）の上端部に近いおんぶ位置（Ｏ．Ｐ）および中央部のだっこ位置（Ｄ．Ｐ）のいずれの位置においても該ショルダーベルト（７）（７）に脱着自在に係合可能とされ、前記ブリッジベルト（１３）の係合位置におけるショルダーベルト（７）（７）間隔を規制することを特徴とするブリッジベルト移動式ベビーキャリア。
【請求項２】
前記ブリッジベルト（１３）はその両端部においてフック（１４ａ）（１４ｂ）を有し、一方前記ショルダーベルト（７）（７）のおんぶ位置（Ｏ．Ｐ）およびだっこ位置（Ｄ．Ｐ）に係合用リング（１１）（１１）（８）（８）が設けられ、前記フック（１４ａ）（１４ｂ）をいずれかの位置の前記係合用リング（１１）（１１）、（８）（８）に掛け止めることにより該位置におけるショルダーベルト（７）（７）間隔を規制するものとなされている請求項１に記載のブリッジベルト移動式ベビーキャリア。
【請求項３】
前記ブリッジベルト（１３）は、中央部においてバックル（１５）により分離・連結自在に構成されている請求項２に記載のブリッジベルト移動式ベビーキャリア。
【請求項４】
前記ブリッジベルト（２０）はその両端にバックルの雌部材（２１）（２１）または雄部材を有し、一方前記ショルダーベルト（７）（７）のおんぶ位置（Ｏ．Ｐ）およびだっこ位置（Ｄ．Ｐ）に前記雌部材（２１）（２１）または雄部材に対応して連結可能な雄部材（２２）（２２）または雌部材が設けられ、前記ブリッジベルト（２０）の雌部材（２１）（２１）または雄部材をいずれかの位置の雄部材（２２）（２２）または雌部材に連結させることにより、該位置におけるショルダーベルト（７）（７）間隔を規制するものとなされている請求項１に記載のブリッジベルト移動式ベビーキャリア。
【発明の詳細な説明】
【０００１】
【発明の属する技術分野】
この発明は、幼児を背負い（おんぶ）または前抱き（だっこ）して移動する際の補助具として用いられるベビーキャリアに関する。
【０００２】
【従来の技術】
図１０および図１１に例示するこの種のベビーキャリア（５０）では、おんぶの時にショルダーベルトが使用者の胸部を圧迫しないように、胸で交差させず肩から脇に並行に差し渡すリュック式のショルダーベルト（５１）一般的である。また、このようなリュック式ベビーキャリア（５０）では、おんぶの時はもとより、だっこの時もショルダーベルト（５１）が使用者の肩からずり落ちやすいという不都合があるため、左右のショルダーベルト（５１）（５１）の離反を防いで肩落ちを防止する方法が採られている。前記ベビーキャリア（５０）においては、図１１（イ）に示すおんぶの時に、左右のショルダーベルト（５１）（５１）のキャリア本体（５２）の上端部に近い部分にブリッジベルト（５３）を架け渡し、使用者の背面における左右のショルダーベルト（５１）（５１）間隔を規制することにより肩落ちを防いでいる。また、ショルダーベルト（５１）（５１）の間隔が規制されていると、開口部が狭くなってキャリア本体（５２）への幼児の出し入れが困難であるため、前記ブリッジベルト（５３）は連結具（５３ａ）により中央部で分離可能とされている。そして、ブリッジベルト（５３）を分離してキャリア本体（５２）の上方を大きく開口させた状態で幼児を収容したのち、ブリッジベルト（５３）の連結によりショルダーベルト（５１）（５１）間隔を規制する。一方、前記ブリッジベルト（５３）は、図１１（ロ）に示すだっこ時の肩落ち防止にはほとんど効果がないため、ショルダーベルト（５１）のほぼ中央部ににバックル（５４ａ）（５４ｂ）を設け、これらのバックル（５４ａ）（５４ｂ）の連結により背面におけるショルダーベルト（５１）（５１）間隔を規制している。なお、だっこの場合は、ウエストエルト（５６）をしなくてもベビーキャリア（５０）を安定して装着することができる。
【０００３】
【発明が解決しようとする課題】
しかしながら、前記ブリッジベルト（５３）はだっこ時の肩落ち防止には効果がないため、だっこの際には不要である。また、このようなブリッジベルト（５３）は幼児の顔前に位置し、布製のブリッジカバー（５５）を配して硬いブリッジベルト（５３）の連結具（５３ａ）が直接顔に当たらないように安全に配慮がなされていると言えども、幼児にとっては異物であり存在しない方が良い。
【０００４】
一方、おんぶの時は、ショルダーベルト（５１）中央部のバックル（５４ａ）（５４ｂ）は不要となる。
【０００５】
このように、ブリッジベルト（５３）とバックル（５４ａ）（５４ｂ）とは同時に使用することはないにも拘らず、両者を備えなければならないために、コスト高になっている。
【０００６】
この発明は、このような背景に鑑み、低コストでショルダーベルトの肩落ちを確実に防止し、かつ幼児にとってより快適な状態で使用できるブリッジベルト移動式ベビーキャリアの提供を目的とする。
【０００７】
【課題を解決するための手段】
この発明のブリッジベルト移動式ベビーキャリアは、前記目的を達成するために、幼児を収容するキャリア本体（２）の上端部と下端部とに左右一対のショルダーベルト（７）（７）が並行に差し渡されるとともに、前記ショルダーベルト（７）（７）間に架け渡してショルダーベルト（７）（７）間隔を規制するブリッジベルト（１３）を有するベビーキャリアであって、前記ブリッジベルト（１３）は、前記ショルダーベルト（７）（７）の上端部に近いおんぶ位置（Ｏ．Ｐ）および中央部のだっこ位置（Ｄ．Ｐ）のいずれの位置においても該ショルダーベルト（７）（７）に脱着自在に係合可能とされ、前記ブリッジベルト（１３）の係合位置におけるショルダーベルト（７）（７）間隔を規制することを基本要旨とする。
【０００８】
また、前記ブリッジベルト移動式ベビーキャリアにおけるブリッジベルトの一係合方法として、前記ブリッジベルト（１３）はその両端部においてフック（１４ａ）（１４ｂ）を有し、一方前記ショルダーベルト（７）（７）のおんぶ位置（Ｏ．Ｐ）およびだっこ位置（Ｄ．Ｐ）に係合用リング（１１）（１１）（８）（８）が設けられ、前記フック（１４ａ）（１４ｂ）をいずれかの位置の前記係合用リング（１１）（１１）、（８）（８）に掛け止めることにより該位置におけるショルダーベルト（７）（７）間隔を規制するものなされていることが好ましく、さらに、前記ブリッジベルト（１３）は、中央部においてバックル（１５）により分離・連結自在に構成されていることが好ましい。
【０００９】
また、前記ブリッジベルト移動式ベビーキャリアにおけるブリッジベルトの他の係合方法として、前記ブリッジベルト（２０）はその両端にバックルの雌部材（２１）（２１）または雄部材を有し、一方前記ショルダーベルト（７）（７）のおんぶ位置（Ｏ．Ｐ）およびだっこ位置（Ｄ．Ｐ）に前記雌部材（２１）（２１）または雄部材に対応して連結可能な雄部材（２２）（２２）または雌部材が設けられ、前記ブリッジベルト（２０）の雌部材（２１）（２１）または雄部材をいずれかの位置の雄部材（２２）（２２）または雌部材に連結させることにより、該位置におけるショルダーベルト（７）（７）間隔を規制するものとなされていることが好ましい。
【００１０】
この発明のベビーキャリアにおいて、おんぶで使用する場合はブリッジベルト（１３）をショルダーベルト（７）のおんぶ位置（Ｏ．Ｐ）に係合することにより、使用者の背面でショルダーベルト（７）（７）間隔が規制されるため、ショルダーベルト（７）が肩からずり落ち傾向を生じることがない。一方、だっこで使用する場合は、ブリッジベルト（１３）をショルダーベルト（７）のだっこ位置（Ｄ．Ｐ）に係合することにより、やはり使用者の背面でショルダーベルト（７）（７）間隔が規制されるため、ショルダーベルト（７）のずり落ちが防止される。このように、おんぶあるいはだっこのいずれの使用形態であっても、確実にショルダーベルト（７）の肩落ちを防止し、安定した装着状態を実現しうる。しかも、ブリッジベルト（１３）を必要位置に移動させて使用するため、ブリッジベルト（１３）は１つあれば良い。特にだっこの場合は、幼児の顔前に相当するおんぶ位置（Ｏ．Ｐ）にブリッジベルト（１３）が存在せず、幼児にとって快適な使用状態を作り出すことができる。
【００１１】
【発明の実施の形態】
図１乃至図７に示されているのは、この発明にかかるブリッジベルト移動式ベビーキャリアの一実施形態である。
【００１２】
図１に示すように、ベビーキャリア（１）は、柔軟で適度な強度を有する布等の汎用素材を用いて形成されるもので、キャリア本体（２）が背当て部（３）、股当て部（４）および前当て部（５）が連続した袋形に形成されているとともに、幼児の後頭部を安定させる頭当て部材（６）が前記背当て部（３）の上部から突出した状態で、スナップ留により背当て部（３）から着脱可能に設けられている。また、前記キャリア本体（２）の背当て部（３）から、左右一対のショルダーベルト（７）（７）が上方に引き出され、該ショルダーベルト（７）（７）の幅広部（７ａ）（７ａ）と先端側の帯紐部（７ｂ）（７ｂ）との間にだっこ係合用リング（８）（８）が介装されるとともに、帯紐部（７ｂ）（７ｂ）の中間位置においてラダー部材（９）（９）によりキャリア本体（２）の股当て部（４）に連結されており、実質的にキャリア本体（２）の上端部と下端部とにショルダーベルト（７）（７）が差し渡されている。そして、前記ラダー部材（９）（９）により長さ調節された帯紐部（７ｂ）（７ｂ）の先端側剰余部分により、使用者の腰回りに巻き留めるウエストベルト（１０）が形成されている。また、図２に示すように、前記ショルダーベルト（７）（７）の幅広部（７ａ）（７ａ）においては、おんぶ係合用リング（１１）（１１）が細幅テープ（１２）を介して幅広部（７ａ）（７ａ）から内向き突出状態に縫着されている。また、（１６）は、後に詳述するブリッジベルト（１３）から幼児を保護するブリッジカバーであり、スナップによりショルダーベルト（７）に対して着脱自在に構成されている。（１７）は、前記細幅テープ（１２）の基端部にゴムテープの上下両端を縫着して形成されたおんぶ係合用リング（１１）の収納部である。
【００１３】
そして、前記ショルダーベルト（７）（７）において、前記おんぶ係合用リング（１１）（１１）の縫着位置が本発明におけるおんぶ位置（Ｏ．Ｐ）に相当し、だっこ係合用リング（８）（８）の介装位置がだっこ位置（Ｄ．Ｐ）に相当し、これらの位置のいずれに対しても図３に示すブリッジベルト（１３）が脱着可能に係合される。
【００１４】
図３に示すように、前記ブリッジベルト（１３）は、両端部にフック（１４ａ）（１４ｂ）を有し、かつ一方のフック（１４ａ）はバックル（１５）の雌部材（１５ａ）と一体に形成され、他方のフック（１４ｂ）は雄部材（１５ｂ）と一体に形成され、これらを雌雄部材（１５ａ）（１５ｂ）を連結することによりブリッジベルト（１３）は一つのブロックとなる。また、前記おんぶ係合用リング（１１）またはだっこ係合用リング（８）に対してブリッジベルト（１３）を係合させるには、図４に示すように、ブリッジベルト（１３）のフック（１４ａ）（１４ｂ）のバネ片（１４ｃ）を跳ね上げるようにしてリング（１１）（８）を押し込めば良い。逆に離反させるには、バネ片（１４ｃ）を跳ね上げてリング（１１）（８）を抜き取る。
【００１５】
前記ブリッジベルト（１３）は、前記おんぶ位置（Ｏ．Ｐ）またはだっこ位置（Ｄ．Ｐ）のいずれか任意の位置の係合用リング（８）（１１）に対して係合し、かつ離反させることができ、係合位置におけるショルダーベルト（７）（７）間隔をブリッジベルト（１３）の長さに規制することができる。図２において、実線はおんぶ位置（Ｏ．Ｐ）における係合を示し、仮想線はだっこ位置（Ｄ．Ｐ）における係合を示す。また、前記ブリッジベルト（１３）がおんぶ位置（Ｏ．Ｐ）にあるときは、ブリッジベルト（１３）が幼児の顔に直接触れないように、ブリッジカバー（１６）で覆っておく。また、前記ブリッジベルト（１３）がだっこ位置（Ｄ．Ｐ）に係合されているときは、おんぶ位置（Ｏ．Ｐ）のおんぶ係合用リング（１１）は不要であるから、細幅テープ（１２）を幅広部（７ａ）（７ａ）上で折り返し，収納部（１７）に挟んでおくとともに、ブリッジカバー（１６）もショルダールト（７）（７）から外しておく。
【００１６】
上述したブリッジベルト移動式ベビーキャリア（１）の使用状態を図６および図７に示す。
【００１７】
図６（イ）（ロ）に示すおんぶでは、ブリッジベルト（１３）をショルダーベルト（７）のおんぶ位置（Ｏ．Ｐ）に係合させる。そして、ブリッジベルト（１３）のバックル（１５）を分離してキャリア本体（２）の上方を大きく開口させた状態で幼児を本体（２）内に収容したのち、バックル（１５）を連結し、さらにブリッジカバー（１６）を装着する。この状態でショルダーベルト（７）（７）を両肩に掛け、ウエストベルト（１０））を腰回りに巻き留める。このおんぶの状態では、使用者の背面において、ブリッジベルト（１３）によりショルダーベルト（７）（７）間隔が規制され、ショルダーベルト（７）の肩落ちを防ぐことができる。
【００１８】
図７（イ）（ロ）に示すだっこでは、ブリッジベルト（１３）をショルダーベルト（７）（７）のだっこ位置（Ｄ．Ｐ）のだっこ係合用リング（８）（８）に係合するとともに、おんぶ位置（Ｏ．Ｐ）の上方リング（１１）（１１）は収納部（１７）内に収納しておく。また、ブリッジカバー（１６）もショルダーベルト（７）から取り外しておく。そして、ブリッジベルト（１３）のバックル（１５）を分離させてキャリア本体（２）内に幼児を収納し、ショルダーベルト（７）（７）を両肩に掛けて背中でバックル（１５）を連結し、さらにウエストベルト（１０）を腰回りに巻き留める。このだっこの状態においても、使用者の背面でショルダーベルト（７）（７）間隔が規制され、ショルダーベルト（７）の肩落ちを防ぐことができる。しかも、幼児の顔前にブリッジベルト（１３）は存在しないため、幼児にとって快適な環境でだっこされることができる。なお、だっこの場合は、おんぶよりも帯紐部（７ｂ）（７ｂ）の先端側剰余部分が短くなるため、使用者の体格によってはウエストベルト（１０）の長さが不足して腰回りに巻き留められないことがある。しかし、だっこの場合はウエストベルト（１０）がなくてもベビーキャリア（１）を使用者の身体に安定して装着できるため、ウエストベルト（１０）を装着しなくても支障はない。
【００１９】
なお、前記ブリッジベルト移動式ベビーキャリア（１）において、前記ショルダーベルト（７）の帯紐部（７ｂ）やウエストベルト（１０）の長さは、使用者や幼児の体格に合わせて、だっこ係合用リング（８）に接続される帯紐通し（１８）、帯紐部（７ｂ）をキャリア本体（２）に連結するラダー部材（９）、ウエストベルト（１０）のバックル（１９）に付設されたベルト送りにより適宜調節する。
【００２０】
また、前述の使用例では、キャリア本体への幼児を出入れやだっこ時のショルダーベルト（７）装着の際に、前記ブリッジベルト（１３）にの中央部のバックル（１５）を分離して開口部を大きくしている。しかし、バックル（１５）による中央部の分離に代えて一方のフック（１４ａ）または（１４ｂ）をリング（１１）（８）から外すようにしても大きな開口部を確保することができ、バックルによる分離・連結機能を省略することも可能である。バックルを省略した場合はコスト面で有利である。一方、本実施例のようにバックルを付加した場合の有利性は、分離・連結をワンタッチで容易に行えることにあり、特にだっこ使用の場合は後ろ手での操作になるため、フック（１４ａ）（１４ｂ）の着脱よりもバックル（１５）の分離・連結の方が操作が簡単である。
【００２１】
なお、図１乃至図７に例示したブリッジベルト移動式ベビーキャリア（１）は、キャリア本体（２）が袋状に形成されたものであるが、本発明のベビーキャリアはショルダーベルトを胸で交差させず両肩から脇へ並行に差し渡すリュックタイプであって、おんぶ−だっこ兼用のキャリアである限り、その他の構成を限定するものではない。従って、この発明は、前当て部のないいわゆるオープンタイプのものでも良いし、またショルダーベルト長さの調節方法、ウエストベルトの有無等についても、これらの図に示すものに限定されるものではない。
【００２２】
また、ブリッジベルトの係合方法の他の例としては、図８または図９に示すものを例示できる。
【００２３】
図８は、バックルの分離・連結による方法である。この図において、ブリッジベルト（２０）は、両端にバックルの雌部材（２１）（２１）が形成されている。一方、ショルダーベルト（７）の幅広部（７ａ）のおんぶ位置（Ｏ．Ｐ）には、前記雌部材（２１）に対応する雄部材（２２）が細幅テープ（２３）を介して内向き突出状態に縫着されているとともに、前記細幅テープ（２３）の基端部にゴムテープの上下両端を縫着することによって収納部（２４）が形成されている。また、だっこ位置（Ｄ．Ｐ）においては、幅広部（７ａ）の先端に帯紐の縫着によりループ部（２５）が形成されているとともに、前記雌部材（２１）に対応する雄部材（２６）が径方向外側に突出形成されたリング（２７）が該ループ部（２５）に回動自在に挿通されている。そして、おんぶで使用する場合は、おんぶ位置（Ｏ．Ｐ）の前記雄部材（２２）（２２）とブリッジベルト（２０）の雌部材（２１）（２１）とを連結する一方、だっこ位置（Ｄ．Ｐ）の前記リング（２７）を回動して雄部材（２６）をループ部（２５）内に収納する。また、だっこで使用する場合は、仮想線で示すように、だっこ位置（Ｄ．Ｐ）のリング（２７）を回動して雄部材（２６）（２６）をショルダーベルト（７）（７）の内側に突出させ、雄部材（２６）（２６）をブリッジベルト（２０）の雌部材（２１）（２１）に連結する一方、おんぶ位置（Ｄ．Ｐ）の雄部材（２６）（２６）を細幅テープ（２３）を折り曲げて収納部（２４）（２４）内に挟んでおく。
【００２４】
図９は、ループ帯のリングへの挿通による方法である。この図において、ブリッジベルト（３０）は、ループ状の細帯（３１）上に分離・連結可能なバックル（３２）が設けられる一方、ショルダーベルト（７’）（７’）上のおんぶ位置（Ｏ．Ｐ）および抱っこ位置（Ｄ．Ｐ）にそれぞれリング（３３）（３４）が介装されている。そして、前記ブリッジベルト（３０）のバックル（３２）を分離して、所要位置のリング（３３）（３３）に挿通したのちバックル（３２）を連結することにより、ショルダーベルト（７’）（７’）間隔を規制する。
【００２５】
【発明の効果】
以上説明したように、この発明のブリッジベルト移動式ベビーキャリアにおいて、左右のショルダーベルト間に架け渡してショルダーベルト間隔を規制するブリッジベルトを、おんぶ位置およびだっこ位置のいずれにも着脱自在に係合できるため、使用形態に応じてブリッジベルトの係合位置を変えることにより常に背面におけるショルダーベルト間隔を規制して肩落ちを防止し、安定した装着状態を実現できる。また、ブリッジベルトは所要位置に移動させて使用するから、ブリッジベルトは１つあれば良く、両方の位置のブリッジベルトを固定的に設ける場合よりもコスト的に有利である。特にだっこの場合は、幼児の顔前にブリッジベルトが存在せず、幼児にとって快適な使用環境となる。
【００２６】
また、前記ブリッジベルト移動式ベビーキャリアにおけるブリッジベルトの一係合方法として、前記ブリッジベルトはその両端部においてフックを有し、一方前記ショルダーベルトのおんぶ位置およびだっこ位置に係合用リングが設け、前記フックをいずれかの位置の前記係合用リングに掛け止める構成を採用した場合は、ショルダーベルトへのブリッジベルトの脱着が容易であり、さらにこのブリッジベルトを、中央部においてバックルにより分離・連結自在に構成した場合は、キャリア本体への幼児の出し入れや使用者の身体への着脱操作を容易に行うことができる。
【００２７】
また、前記ブリッジベルト移動式ベビーキャリアにおけるブリッジベルトの他の係合方法として、前記ブリッジベルトとショルダーベルトとの間のバックル機構を採用した場合も、前述のフック方式と同様にキャリア本体への幼児の出し入れや使用者の身体への脱着操作を容易に行うことができる。
【図面の簡単な説明】
【図１】この発明にかかるブリッジベルト移動式ベビーキャリアの一実施形態の斜視図である。
【図２】図１の要部拡大図である。
【図３】ブリッジベルトの斜視図である。
【図４】ブリッジベルトのフックとショルダーベルトのリングの係合を示す断面図である。
【図５】リングの収納状態を示す正面図である。
【図６】図１のベビーキャリアのおんぶでの使用状態を示す斜視図であり、（イ）は後姿、（ロ）は前姿である。
【図７】図１のベビーキャリアのだっこでの使用状態を示す斜視図であり、（イ）は前姿、（ロ）は後姿である。
【図８】この発明のブリッジベルト移動式ベビーキャリアの他の実施形態を示す部分正面図である。
【図９】この発明のブリッジベルト移動式ベビーキャリアのさらに他の実施形態を示す部分正面図である。
【図１０】従来のリュックタイプのベビーキャリアの斜視図である。
【図１１】図１１のベビーキャリアの使用状態を示す斜視図であり、（イ）はおんぶでの使用状態、（ロ）はだっこでの使用状態である。
【符号の説明】
１…ブリッジベルト移動式ベビーキャリア
２…キャリア本体
７…ショルダーベルト
８…係合用リング（だっこ係合用リング）
１１…係合用リング（おんぶ係合用リング）
１３、２０…ブリッジベルト
１４ａ、１４ｂ…フック
１５…バックル
２１…雌部材
２２…雄部材
Ｏ．Ｐ…おんぶ位置
Ｄ．Ｐ…だっこ位置
【図１】
0003669612.tif 000002
【図２】
0003669612.tif 000003
【図３】
0003669612.tif 000004
【図４】
0003669612.tif 000005
【図５】
0003669612.tif 000006
【図６】
0003669612.tif 000007
【図７】
0003669612.tif 000008
【図８】
0003669612.tif 000009
【図９】
0003669612.tif 000010
【図１０】
0003669612.tif 000011
【図１１】
0003669612.tif 000012